(57)【要約】  ハンドレス手術用保持具は、第１端部を有する長手方向ボディがあるエラストマーバンドを含む。手術用保持具は、組織係合部分と、アンカー部分とを含む組織保持部材を含む。アンカー部分は、エラストマーバンドの第１端部に、組織係合部分が第１端部から外側に向けて延びるように連結される。エラストマーバンドの実質的に全ての部分は、保持具がハンドルを含まないように、手術用開創器フレームと係合するように構成することができる。
2013526978.tif 000002
【特許請求の範囲】
【請求項１】
第１端部がある長手方向ボディを備えたエラストマーバンドと、
組織係合部分およびアンカー部分を備えた組織保持部材であって、前記アンカー部分が前記エラストマーバンドの前記第１端部に連結され、前記組織係合部分が前記第１端部から外側へ向けて延びるようにされている組織保持部材と、を備え、
前記保持具がハンドルを含まないよう、前記エラストマーバンドの実質的に全ての部分が手術用開創器フレームと係合するように構成されている、
手術用保持具。
【請求項２】
前記長手方向ボディの周りに配置された複数のハブを、少なくとも１つのハブが前記エラストマーバンドの前記第１端部の近傍に配置された状態でさらに備える、請求項１の手術用保持具。
【請求項３】
前記組織保持部材の前記組織係合部分は、前記アンカー部分に取り外し不能に連結されている、請求項１の手術用保持具。
【請求項４】
前記組織保持部材の前記組織係合部分は、前記アンカー部分に溶接されている、請求項３の手術用保持具。
【請求項５】
前記組織保持部材の前記組織係合部分は、前記アンカー部分と共に形成されている、請求項３の手術用保持具。
【請求項６】
前記アンカー部分はコイルを備える、請求項１の手術用保持具。
【請求項７】
前記アンカー部分は、互い違いになった幾何学形状を備える、請求項１の手術用保持具。
【請求項８】
前記アンカー部分は、突出部を備える、請求項１の手術用保持具。
【請求項９】
前記アンカー部分は、外側連結器を備える、請求項１の手術用保持具。
【請求項１０】
前記アンカー部分は、前記エラストマーバンドの前記第１端部に少なくとも部分的に埋め込まれている、請求項１の手術用保持具。
【請求項１１】
前記エラストマーバンドの前記第１端部は、前記アンカー部分周りに成型されており、前記エラストマーバンドは、使用中に前記アンカー部分が外れないようにする材料から形成されている、請求項１の手術用保持具。
【請求項１２】
前記エラストマーバンドが第１の係数を有するエラストマー材料から形成され、前記アンカー部分が第２の係数を有するほぼ剛体の材料から形成される、請求項１の手術用保持具。
【請求項１３】
前記第１の係数は、第２の係数とほぼ等しい、請求項１２の手術用保持具。
【請求項１４】
第１端部がある長手方向ボディを備えたエラストマーバンドと、
アンカー部分に連結された組織係合部分を備えた組織保持部材であって、前記アンカー部分が前記エラストマーバンドの前記第１端部に少なくとも部分的に埋め込まれており、前記組織係合部分が前記バンドの前記第１端部から外側へ向けて延びるようにされている組織保持部材と、を備え、
前記保持具がハンドルを含まないよう、前記エラストマーバンドの実質的に全ての部分が手術用開創器フレームと係合するように構成されている、手術用保持具。
【請求項１５】
前記エラストマーバンドの前記第１端部は、前記アンカー部分周りに成型されており、前記エラストマーバンドは、使用中に前記アンカー部分が外れないようにする材料から形成されている、請求項１４の手術用保持具。
【請求項１６】
前記長手方向ボディの周りに配置された複数のハブを、少なくとも１つのハブが前記エラストマーバンドの前記第１端部の近傍に配置された状態でさらに備え、
前記複数のハブの全てが前記手術用開創器フレームと保持のための接触をするように適合されている、請求項１４の手術用保持具。
【請求項１７】
前記エラストマーバンドが第１の係数を有するエラストマー材料から形成され、前記アンカー部分が第２の係数を有するほぼ剛体の材料から形成される、請求項１４の手術用保持具。
【請求項１８】
断面寸法がほぼ一定で、第１端部がある長手方向ボディを備えたエラストマーバンドと、
アンカー部分に取り外し不能に連結された組織係合部分を備えた組織保持部材であって、前記アンカー部分が前記長手方向ボディの断面寸法より小さい断面寸法を有し、かつ、前記エラストマーバンドの前記第１端部内に少なくとも部分的に埋め込まれて、前記組織係合部分が前記バンドの前記第１端部から延びるようにされており、前記エラストマーバンドは、前記アンカー部分が使用中に外れることがないようにする材料から形成されている組織保持部材と、
を備えるハンドレス手術用保持具。
【請求項１９】
前記組織係合部分は、前記バンドの前記第１端部の面から間隔をあけた移行部において前記アンカー部分に取り外し不能に連結されている、請求項１８の手術用保持具。
【請求項２０】
前記長手方向ボディと共に形成され、前記長手方向ボディに沿って一定の間隔をあけて配置され、少なくとも１つのハブが前記バンドの前記第１端部の近傍に配置されている複数のハブをさらに備える、請求項１８の手術用保持具。
【請求項２１】
前記保持具がハンドルを含まないよう、前記ハブの全てが手術用開創器フレームと係合するように構成されている、請求項２０の手術用保持具。
【発明の詳細な説明】
【技術分野】
【０００１】
［関連出願についての相互参照］
該当なし
【０００２】
本発明は、概して手術用開創器保持具（ｓｔａｙ）に関し、より詳細には、エラストマーバンドを有する手術用開創器保持具に関する。
【背景技術】
【０００３】
外科的切開部を開いた、または、露出させた状態に維持する構造物を提供することが、多くの外科手術において望まれていることが分かっている。組織を外科医の邪魔にならないところに維持する手段が必要なことから、いくつもの組織開創システム（ｔｉｓｓｕｅ  ｒｅｔｒａｃｔｉｏｎ  ｓｙｓｔｅｍｓ）が長年にわたって開発されている。このようなシステムの一つは、フレームまたは支持体と、組織係合部分とを含んでいる。
【発明の概要】
【発明が解決しようとする課題】
【０００４】
このようなフレームとともに使用する保持具が当該技術において公知であり、一般に、保持用フック、ハンドル、および、バンドを有する。しかし、これらの保持具には、１つまたは２つ以上の欠点がある。直径が一定でハブがないエラストマーバンドは、簡単に変形して開創器フレームの切り欠き部を滑り抜け、そのために切開部が閉じるのを許してしまう傾向がある。さらに、従来技術による保持具の多くは、血や残屑がたまりうる開口部および／または空洞部があるハンドルやバンドを有する。このような保持具は、オートクレーブで消毒したり、再使用したりすることはできない。
【０００５】
さらに、伝統的な手術用保持具の硬いハンドル部分は、てこの腕として働き、開創の力のベクトル外にあるあらゆる力を機械的に増幅する。てこの腕が力を増幅すると、保持具と組織の遠位の接触面で、組織への圧力と損傷が増す。保持具の硬いハンドルの外形は、手術部位での視界や細かい手術技法の妨げとなりうる。例えば、手術部位に用いられている手術用縫合糸は、保持具のハンドルにたびたびひっかかるが、これは、保持具のハンドルの外形が手術部位内で高くなっているためである。一般に、伸縮性がある保持具なら、手術部位に形を合わせ、開創器システムが手術中に侵入している部分の全体的な外形を小さくすることができる。しかしながら、硬いハンドル部分は、組織や開創器フレームと直接接触しない保持器の部位であり、そのために保持器の総合的な開創性能を制限する。比較的小さな手術では、フレームが硬いハンドルのすぐ近くで保持具と接触することもある。
【課題を解決するための手段】
【０００６】
本発明のいくつかの態様の例の基本を理解してもらうために、以下に本発明を簡単に要約する。この要約は、本発明の詳しい全体像ではない。さらに、この要約は、本発明の重要な要素を特定しようとするものでもなければ、本発明の範囲を正確に説明しようとするものでもない。この要約の唯一の目的は、後述するより詳細な説明の前置きとして、本発明のいくつかの概念を簡単な形で示すことである。
【０００７】
本発明の一態様によれば、手術用保持具は、第１端部がある長手方向ボディを備えたエラストマーバンドを備えている。この手術用保持具は、組織係合部分およびアンカー部分を含む組織保持部材をさらに備えている。アンカー部分は、エラストマーバンドの第１端部に連結され、組織係合部分が第１端部から外側へ向けて延びるようにされている。保持具がハンドルを含まないよう、エラストマーバンドの実質的に全てを手術用開創器フレームと係合するように構成することができる。
【０００８】
本発明の別の態様によれば、手術用保持具は、第１端部がある長手方向ボディを備えたエラストマーバンドを備えている。この手術用保持具は、アンカー部分に連結された組織係合部分を備えた組織保持部材を備えている。アンカー部分は、エラストマーバンドの第１端部に少なくとも部分的に埋め込まれており、組織係合部分がバンドの第１端部から外側へ向けて延びるようにされている。保持具がハンドルを含まないよう、エラストマーバンドの実質的に全ての部分を手術用開創器フレームと係合するように構成することができる。
【０００９】
本発明の別の態様によれば、ハンドレス手術用保持具は、断面寸法がほぼ一定で、第１端部がある長手方向ボディを備えたエラストマーバンドを備えている。手術用保持具は、さらに、アンカー部分に取り外し不能に連結された組織係合部分を備えた組織保持部材を備えている。アンカー部分は、長手方向ボディの断面寸法より小さい断面寸法を有し、かつ、エラストマーバンドの第１端部内に少なくとも部分的に埋め込まれており、組織係合部分がバンドの第１端部から延びるようにされている。エラストマーバンドは、アンカー部分が使用中に外れることがないようにする材料から形成されている。
【００１０】
上述した全体的な説明と以下の詳細な説明がともに本発明の例および解説的な実施形態であり、請求する本発明の本質および性質を理解するための全体像または枠組みを与えようとしていることは分かるであろう。添付図面が含まれているのは、本発明をさらに理解できるようにするためであり、この添付図面は本明細書に組み込まれ、本明細書の一部を構成する。図面は、本発明のさまざまな実施形態の例を図示しており、記載とともに、本発明の原理と動作を説明するという役割を果たす。
【００１１】
本発明の上述した、および、他の態様は、以下の記載を添付図面を参照しながら読むことで、本発明に関係する当業者に明らかとなるであろう。
【図面の簡単な説明】
【００１２】
【図１】手術用保持具の例を示す側面図である。
【図２】図１の手術用保持具の正面図である。
【図３】図１の手術用保持具とともに使用するための組織保持部材の例を示す側面図である。
【図４Ａ】図３の組織保持部材の組織係合部分の例を示す側面図である。
【図４Ｂ】図３の組織保持部材のアンカー部分の例を示す側面図である。
【図５Ａ】図１の詳細Ａの保持具に埋め込まれた組織保持部材の例を示す側面図である。
【図５Ｂ】図１の詳細Ａの保持具に埋め込まれた組織保持部材の例を示す側面図である。
【図５Ｃ】図１の詳細Ａの保持具に埋め込まれた組織保持部材の例を示す側面図である。
【図５Ｄ】図１の詳細Ａの保持具に埋め込まれた組織保持部材の例を示す側面図である。
【図５Ｅ】図１の詳細Ａの保持具に埋め込まれた組織保持部材の例を示す側面図である。
【図６】開創器フレームの例とともに使用されている一連の手術用開創器保持具の模式図である。
【図７】図６の線７−７に沿った断面図である。
【図８】図６の線８−８に沿った断面図である。
【発明を実施するための形態】
【００１３】
本発明の１つまたは複数の態様が組み込まれた実施形態の例が記載され、図面に示されている。これらの図示の例は、本発明を限定しようとするものではない。例えば、本発明の１つまたは複数の態様を他の実施形態で利用することができ、他のタイプの装置においてでさえ利用することができる。さらに、本明細書では、多少の専門用語を便宜上のためだけに使用するが、本発明についての限定と受け取ってはならない。さらにまた、図面では、同じ要素を示すのに同じ参照番号が採用される。
【００１４】
図１に示されている例に移ると、本発明の第１実施形態による手術用開創器保持具１０が図示されている。本明細書に以下に記載するように、手術用保持具１０は、伸縮性でハンドレスの手術用保持具である。つまり、保持具１０がハンドルを含まないように、保持具１０の実質的に全ての部分を開創器フレーム６０、および／または、手術機器と係合するように構成することができる。従来、伝統的な手術用保持具の硬いハンドル部分は、てこの腕として働き、あらゆる力を機械的に増幅して、保持具と組織の遠位接触面で組織への圧力および損傷を増大さる。これに対して、伸縮性のハンドルレス保持具には、てこの腕の、組織に損傷を与えるという特質はない。多平面伸縮性（ｍｕｌｔｉ−ｐｌａｎａｒ  ｅｌａｓｔｉｃｉｔｙ）は、開創（ｒｅｔｒａｃｔｉｏｎ）の力ベクトルから外れている開創力（ｒｅｔｒａｃｔｉｏｎ  ｆｏｒｃｅｓ）を、これらの力を増幅し、組織にさらに損傷を与えるということなく、受け入れる。組織の損傷、特に皮下および繊細な解剖学的構造に対するものは、この組織の損傷による感染の経路であり、また、美容上の傷であるので、減らさなければならない。
【００１５】
保持具１０は、組織保持部材１２と、細長いエラストマー部材、すなわち、エラストマーバンド１６を含む。以下により詳細に検討するように、保持具１０がハンドルを含まないように、エラストマーバンド１６の実質的に全ての部分を手術用開創器フレーム６０（および／または、手術機器）と係合するように構成することができる。例えば、エラストマーバンド１６は、フレーム６０の切り欠き部７０と係合するように構成され（図６参照）、保持具１０は、機械的な干渉により、切り欠き部７０を（例えば、手術部位６２の方へ）通り抜けないように防止される。バンド１６は、第１端部２２がある細長いボディ１８を有する。一例では（図５Ａ参照）、複数のハブ２０を長手方向ボディ１８周りに配置することができる。第１端部２２は、組織保持部材１２が設けられているが、その近傍に配置された１つまたは複数のハブを有することができる。一例では、示されているように、バンド１６の第１端部２２を少なくとも１つのハブ２４で規定し、このハブ２４がバンド１６の第１端部２２の末端部をなすようにすることができる。明確のため、異なる参照番号で特定しているが、ハブ２４は他のハブ２０と同一であってもよいことは言うまでもない。バンド１６の遠位端２５は、組織保持部材１２の遠位に設けることができ、これもまた、近傍に配置された１つまたは複数のハブ２０を、この遠位端２５を規定し、遠位端２５の末端部となるように有することができる。別の例では（図５Ｄ参照）、長手方向ボディ１８は比較的滑らかで、ハブ等が全くないものとすることができる。
【００１６】
エラストマーバンド１６は、シリコンゴム、ウレタンポリマーなどのエラストマー材料から作られる。一例では、バンド１６が単一体であり、１つの要素だけから、または、複数の要素から形成され、例えば、それぞれ、単一の伸縮部分だけ、または、複数の伸縮部分から形成される。バンド１６は、好ましくは、約４０Ｄ〜６０Ｄの範囲内のデュロメーター／硬度を有するが、より高いまたは低いデュロメーター／硬度の値も考えられる。例えば、表１に示すように、さまざまなデュロメーター値により、さまざまな機械的特徴にすることができる。
【００１７】
【表１】
2013526978.tif 000003
【００１８】
当然のことながら、硬度が比較的高いと、ハブ２０、２４と、手術用開創器フレーム６０との間の係合特性がよくなる。しかし、これは、保持具１０の伸縮品質を悪くする可能性がある。このことは、望ましくはないであろう。なぜならば、比較的伸縮性がない保持具１０では、多くの臨床医によって望まれている性質、例えば、手術中に手術部位６２がずれるに従い、保持されている組織２９とともに移動して、開創されている組織２９の断裂を最小限に抑えるという組織保持部材１２の能力などが失われるかもしれないからである。伸縮性という性質により、保持具１０を組織２９および／またはフレーム６０から取り外すことも可能になり、また、図６〜図８にもっともよく示されているように、バンド１６を都合よく曲げることも可能になる。図示されているように、複数の保持具１０を互いに協力させて使用して切開部３０を開いた状態に保ち、これにより、切開部３０に安定にアクセスできるようにすることも可能である。
【００１９】
図１および図２をさらに参照すると、複数のハブ２０がボディ１８周りに配置され、ボディ１８の長さ方向に間隔をあけて配置されている。ハブ２０は、ボディ１８から径方向に延出している。一例では、ハブ２０、２４およびボディ１８を含むバンド１６全体が１回の成型工程で一体に成型される。ハブ２０、２４をボディ１８と一体に成型して、エラストマーバンド１６を、モノリシック構造などの一体構造として形成することができる。好ましくは、バンド１６はリキッドインジェクションモールドで形成される。各ハブ２０、２４には、開創器フレーム６０との接触を保つために、ハブ２０の、手術部位６２と向かい合う端部にフレーム係合面７２が設けられている。第１端部２２にあるハブ２４にさえもフレーム係合面７２が設けられるので、ハブ２４は、フレーム６０との係合に関し、十分に機能する。フレーム係合面７２は、ボディ１８の長手方向軸に対してほぼ垂直な関係に配置された環状の平坦面とすることができる。例えば、バンド１６は、円筒形のボディ部分と、より大きな円筒形のハブ２０の部分とを交互に連続するものを有することができる。ハブ２０、２４には、幅が広い、または平坦な、係合面７２を設けて、フレーム６０のフランジ６４部分の、切り欠き部７０を取り囲む下面６８に接触させることができる。図６〜図８参照。係合面７２は、バンドにかかった張力をバンド１６のボディ１８から分散させ、これにより、下面６８の切り欠き部７０の直近の領域から分散させるのに効果がある。
【００２０】
依然として、ハブ２０、２４は、さまざまな他の係合面構造があるさまざまな他の幾何学形状を有することができる。例えば、ハブ２０、２４は、米国特許第６，０９０，０４３号で検討された幾何学形状のいずれをも有することができる。米国特許第６，０９０，０４３号の全開示内容は、参照することにより本明細書に組み込まれる。さまざまな例において、ハブ２０、２４の任意のものまたは全てのものは、球状のハブ、円錐状のハブ、半球状のハブ、（例えば、フレーム６０の斜めなフランジ６４の部分に合うように）バンド１６の長手方向軸に対して斜めの、すなわち、はすに切ったハブとすることができ、また、おわんのような形状をした、すなわち、凹状の係合面７２を有することができ、あるいは、ボディ１８と係合面７２の交差部に成型したフィレット（ｆｉｌｌｅｔ）を有することさえできる。これに加えて、または、これに代えて、ボディ１８および／またはハブ２０、２４は、円形、楕円形、三角形、および、四角形などのさまざまな断面幾何学形状を有することができる。ボディ１８は、ハブ等が１つもない比較的滑らかなものとすることもできる。記載したボディおよびハブの幾何学形状は、本発明を限定しようとするものではない。
【００２１】
図３、図４Ａおよび図４Ｂに戻ると、組織保持部材１２は、たいていは組織係合部分２６を有し、組織係合部分２６はバンド１６の第１端部２２から延びている。組織保持部材１２は、好ましくは、金属（例えば、ステンレススチール、アルミニウム、チタン等）またはプラスチックなどの、一般的に硬い材料から作られる。この材料は、切開部３０の組織２９と確実に係合し、かつ、開創器フレーム６０と係合したときに、手術用保持具１０にかかる引張力に持ちこたえる十分に強いものでなければならない。組織保持部材１２は、たった１つの材料から作ることもできるし、複数の材料から作ることもできる。例えば、組織係合部分２６およびアンカー部分２８は、組織保持部材１２に望まれる性質しだいで、同じ材料から形成することもできるし、さまざまな材料から形成することさえもできる。材料は、手術で利用できるレベルの材料（ｓｕｒｇｉｃａｌ  ｇｒａｄｅ  ｍａｔｅｒｉａｌ）からなり、好ましくは、オートクレーブで消毒することができ、そして、再使用することができるが、使い捨てとすることもできる。これに加えて、または、これに代えて、組織保持部材１２の材料は、放射線不透過性とすることができる。放射線不透過性とは、電磁気、特にＸ線または類似の放射線が特定の材料を比較的透過できないことである。所定の組織保持部材が放射線不透過性であるということは、この組織保持部材を外科手術の前、間、または後に追跡することができ、有益であり得る。あるいは、組織保持部材は、放射線透過性とすることができる。放射線透過性とは、電磁気（例えば、Ｘ線または同様の放射線）がその材料を透過することに関し、透明性が相対的に大きいということである。所定の組織保持部材の放射線透過性という特性もまた、組織保持部材が「消え」て医療用のスキャンの邪魔にならないことから、有益であり得る。
【００２２】
組織係合部分２６（図４Ａ参照）は、切開部３０を取り囲む組織２９をしっかりとつかみ、かつ、切開部３０を開いた状態に保つように構成されるもので、好ましくは、湾曲させたフック状の形状にしてある、または、別の方法で曲げられている。ただし、まっすぐにする、角を設ける等とすることもできる。さまざまな例において、組織係合部分２６は、直径５ｍｍまたは１２ｍｍで湾曲させた端部などのフック形状とすることができ、先端は尖らせることも、尖らせないこともできる。ただし、さまざまな他の大きさも考えられる。あるいは、組織係合部分２６は、１つまたは複数の尖った先端部があるくま手、クランプ、複数の尖った先端を有するフック等とすることができる。組織係合部分２６の幾何学的形状は、本発明を限定しようとするものでないことは言うまでもない。
【００２３】
組織保持部材１２は、移行部３２で組織係合部分２６に連結されたアンカー部分２８をさらに含む（図４Ｂ参照）。移行部３２がさまざまな図（例えば、図３）に模式的に描かれており、明確のために強調されていることは言うまでもない。さまざまな他の例が図５Ａ〜図５Ｄに示されている。実際には、移行部３２は大きくした領域であっても、なくてもよく、かつ／または、使用される連結作業（例えば溶接作業、はんだ付け等）の副産物として形成されてもよい。アンカー部分２８は、組織係合部分２６にさまざまな方法で取り外し可能に、または、取り外し不能に連結することができる。一例では、アンカー部分２８を組織係合部分２６に溶接作業によって取り外し不能に連結することができる。例えば、アンカー部分２８は組織係合部分２６にスポット溶接して、エラストマーバンド１６と連結する前に組織保持部材１２を形成することができる。他の例ではアンカー部分２８を組織係合部分２６に、はんだ付け、機械的な留め金具、接着剤、摩擦ばめ等によって連結することができる。さらに別の例では、アンカー部分２８を組織係合部分２６とともに単一の、モノリシックな要素として形成することができる。例えば、組織保持部材１２は、たった１個のもの（例えば、１本の針金、１枚の板等）から形成することにして（例えば、成型する、打ち抜く、ロール加工する等）、このたった１個のものを加工してアンカー部分２８と組織係合部分２６の各々を形成することができる。または、組織保持部材１２は、単一の射出成型されたプラスチック要素、ダイキャスト金属等とすることさえ可能である。
【００２４】
組織保持部材１２は、バンド１６の第１端部２２に、その境界で引き離すことができないような態様で連結することができる。一例では、アンカー部分２８を（完全になど）少なくとも部分的にバンド１６の第１端部２２に（カプセル化するなどで）埋め込むことができる。埋め込むことには、端部が開いていても、閉じていてもよい凹部、穴等にアンカー部分２８が入っていることも含まれることは言うまでもない。組織係合部分２６はまた、第１端部２２に部分的に埋め込まれることであってもよいし、第１端部２２に全く拘束されないことであってもよい。いずれにしても、組織係合部分２６は、バンド１６の第１端部２２に対して外へ向かって（第１端部２２から外へ向かって）延びる。本明細書に記載のように、エラストマーバンド１６は、シリコンゴムまたはウレタンポリマーのような、使用中にアンカー部分２８がバンド１６から外れないようにする材料から形成される。さまざまな他の材料もバンド１６を形成するのに使用することができることは言うまでもない。例えば、エラストマーバンド１６の第１端部をアンカー部分２８周りに、バンド１６を形成している間に成型することができる。図５Ａに示されているように、１つまたは複数の成型ピン挿入物（不図示）を成型工程の間に使用して、バンド１６の第１端部２２内でのアンカー部分２８の位置を適切に維持することができる。また、このような挿入物は、結果として生じる成型ボイド３１を後に残すことがあるが、これは、保持具１０の機能にあまり影響がなく、成型工程の単なる副産物である。
【００２５】
エラストマーバンド１６は、アンカー部分２８の形にぴったりと一致し、これにより使用中に外れないようにする材料から形成することができる。例えば、成型作業のとき、エラストマーバンド１６の材料は、アンカー部分２８の周り、中へ、および／または、通り抜けるように流れて、アンカー部分２８をバンド１６の第１端部２２内に効果的に埋め込むことができる。アンカー部分２８の幾何学的形状は、ぴったりと形を一致させようとする材料のこのような振る舞いを促進するために、開いた領域、中空部分、開口部、貫通孔、突出部等を設けることで調整することができる。アンカー部分２８は、バンド１６内部でさまざまな距離を延びることができる。一例では、アンカー部分２８は、ほぼ３つのハブ２０に等しい距離を延びることができる。別の例では、アンカー部分２８は、５／１６インチ、１／２インチまたはこれ以上など、一定の距離を延びることができる。アンカー部分２８の長さを比較的短くし、これにより材料費を減らし、および／または、埋め込み工程を容易にすることが望ましいことがある。
【００２６】
次に、図５Ａ〜図５Ｄに移ると、これらは図１の詳細Ａを示しており、組織保持部材１２のアンカー部分２８は、さまざまな幾何学的形状を含むことができる。示されている例が、可能性がある多数の幾何学的形状の一部に過ぎないということは言うまでもない。ここで検討するさまざまなアンカー部分２８の組合せを含め、さまざまな他の幾何学的形状が考えられ、使用中にアンカー部分２８がバンド１６から外れる（例えば、引き抜かれる）ことを防ぐようにする。一例では、アンカー部分２８Ａは、コイル４０のような、複数の曲がった部分を有するワイヤを含むことができる（図５Ａ参照）。コイル４０は、内部がほぼ中空であるほぼ円筒形の幾何学的形状を有することができ、ほぼ一定の直径または断面寸法を有することができる。例えば、内部がほぼ中空であると、バンド１６の材料がコイル４０を通って流れ、表面接触を増やして、アンカー部分２８が使用中にバンド１６から外れる（例えば、引き抜かれる）ことのないようにすることができる。さらに、コイル４０は、複数の軸周りに曲げられるようにすることが可能である。他の実施例では、コイル４０は、変動する直径、断面寸法、周波数、振幅等を有することができる。例えば、図５Ｄに示されているように、アンカー部分２８Ｄは、断面寸法が増加または減少して、長さ方向に沿って異なる量の柔軟性、引き抜き強度、または、触った感じを与えることができる、一部が修正されたコイル４１を有することができる。一部が修正されたコイル４１での変化により、コイル４１の長さ方向にそって破損形態を異なるものとすることもできる。コイル４０、４１は、コイル４０がさまざまな軸においてばね力を示すように、ばね材料から形成することができる。例えば、コイル４０、４１がバンド１６の第１端部２２に埋め込まれている場合、コイル４０、４１は、弾性により、エラストマーバンド１６内で長手方向に延びる中立状態を得ようとすることがある。このように、コイル４０、４１は、比較的柔軟で曲げることができるという特徴を与えることができ、（例えば、手術中に）エラストマーバンド１６の第１端部２２を湾曲または屈曲させた場合、コイル４０、４１は、弾性により反対方向の力を与えて、組織２９を保持しやすくすることができる。
【００２７】
別の例では、アンカー部分２８Ｂは、互い違いになった幾何学的形状４２を含むことができる（図５Ｂ参照）。つまり、アンカー部分２８Ｂは、少なくとも２つの形の間で変化する幾何学的形状を有することができる。一例では、アンカー部分２８Ｂの互い違いになった幾何学的形状４２は、比較的大きな部分４４と、比較的小さな部分４６とがあり、全体的に反復して振動する幾何学的形状を有する、正弦曲線の幾何学的形状とすることができる。比較的大きな部分４４と小さな部分４６を交互させることにより、アンカー部分２８Ｂが表面接触を増やして、使用中にアンカー部分２８がバンド１６から外れる（例えば、引き抜かれる）ことがないようにすることができる。全体的に反復してはいるが、振幅および／または周波数は、一定のままであってもよいし、なくてもよい。例えば、正弦曲線の幾何学形状は、異なる反復区間を有する異なる部分を含むことができる。あるいは、幾何学形状は反復するものでなくてもよい。さらに、アンカー部分２８Ｂは、平坦なもの（例えば平板）、または、ねじられたもの（例えば、螺旋）とすることができる。さらに、交互する幾何学形状４２は、比較的柔軟性がなくて、曲げにくいという特徴を与えることであってもよく、このような特徴は、特定の種類の組織係合部分２６または組織で有益なことがある。一例では、アンカー部分２８Ｂを比較的平坦にして、ある軸に沿って曲げることができるが、他の軸では曲げに抵抗するようにすることができる。これに加えて、または、これに代えて、いずれのアンカー部分（例えば２８Ａ、２８Ｂ、２８Ｃ等）も、バンド１６のバルク材との接合効果を増減させる表面形態または表面処理を有することができる。さまざまな例において、アンカー部分２８Ｂの表面形態または表面処理は、プラズマ被覆、多孔質表面、柱状表面（ｐｉｌｌａｒ  ｓｕｒｆａｃｅ）等を含みうる。別の例では、アンカー部分２８Ｂは、中空部分、開口部、貫通穴のような、バンド１６のバルク材を入れて保持しやすくするための１つまたは２つ以上の開いた領域４７を提供できる。さらに、別の例では、アンカー部分２８を、正方形、長方形、円形、楕円形、三角形などのほぼ標準的な多角形の幾何学形状を有する、実質的に平坦なものとすることができる。
【００２８】
さらに別の例では、アンカー部分２８Ｃは突出部４８を含むことができる（図５Ｃ参照）。つまり、アンカー部分２８Ｃは、１つまたは複数の突出部４８を有することができ、この複数の突出部４８は、同様なものであってもよいし、異なるものであってもよい。突出部４８は、アンカー部分２８Ｃの中央部材５０からほぼ外側に向けて延びることができ、この中央部材５０は、中央にある棒等とすることができるし、他のアンカー部分２８Ａまたは２８Ｂと同様なものにすることさえできる。一例では、突出部４８を球状のもの、かえし、ワイヤ要素等とすることができる。突出部４８は、中央部材５０に垂直など、さまざまな角度で、または、さまざまな斜めの角度（例えば、第１端部２２の方を向いた、または、反対の方を向いた角度）で外に向けて延びることができる。突出部４８は、アンカー部分２８Ｃに沿ったさまざまな場所に配置できる。一例では、突出部４８の各々を、バンド１６のそれぞれのハブ２０に対応するように、アンカー部分２８に並べることができる。突出部４８によって、アンカー部分２８Ｃはハブ２０を介する接触面積が増え、使用中にバンド１６からアンカー部分２８が外れる（例えば引き抜かれる）ことがないようにできる。さらに、突出部４８は、第１端部２２が相対的に多少柔軟で、曲げられるように一部修正することができる。
【００２９】
さらに他の例において、アンカー部分２８は、バンド１６の第１端部２２に機械的留め金具、接着剤、摩擦ばめ等によって連結することができる。例えば、アンカー部分２８は、バンド１６の第１端部２２に接着剤で接着し、かつ／または、摩擦／締まりばめによって第１端部２２で保持することができる。アンカー部分２８は、このような連結を促進するための表面の特徴、処理等を含むことができる。これに加えて、または、これに代えて、第１端部２２は、アンカー部分２８の一部または全てを入れるための開口部、穴等を含むことができる。アンカー部分２８は、第１端部２２内に埋め込まれてもよいし、埋め込まれなくてもよい。これに加えて、または、これに代えて、アンカー部分２８Ｅは、第１端部２２の一部分が入るように、第１端部２２の一部分に被せるように適合されたカフス、カラー等のような外側連結器４３（図５Ｅ参照）を備えることができる。組織係合部分２６は、外側連結器４３に取り外し可能または取り外し不能に連結することができる。同様に、アンカー部分２８は、第１端部２２の周りに巻かれた保持ワイヤ、熱収縮チューブ等（不図示）を含む外側連結器４３によってバンド１６の第１端部２２に連結され、保持されるように構成することができる。外側連結器４３は、手術用フレーム６０と係合する第１端部２２の面としての役割を果たすこともできる。外側連結器４３は、バンド１６の第１端部２２の断面寸法を増大させても、させなくてもよいが、保持具１０がハンドルを含まないように、（外側連結器４３を含む）エラストマーバンドの実質的に全ての部分が、手術用開創器フレーム６０（および／または、手術機器）と係合するように構成されたままであることが理解される。連結器を外側のものとして記載したが、外側連結器４３の部分が取り外し可能に、または、取り外し不能に長手方向ボディ１８の中へと延びる、または、入ることができることは言うまでもない。
【００３０】
これに加えて、または、これに代えて、さまざまなアンカー部分２８Ａ、２８Ｂ、２８Ｃのいずれも、または、全ては、第１端部２２付近での保持具１０の破損形態を異なるものにすることができる。つまり、アンカー部分２８と、ボディ１８の材料とは、シリコンの破損および／またはコイルの破損（例えば、そり）など、予期しない破損形態を回避するように構成することができる。例えば、アンカー部分２８と、バンド１６のバルク材との各々の係数に変化をつけることで、アンカー部分２８と、バンド１６のバルク材との間の境界でのボイドの形成をいくぶん変える（例えば、増やすまたは減らす）ことができる。用途によるが、アンカー部分２８と、バンド１６のバルク材料との各々の係数は、力を一様に伝え、かつ／または、破損を管理するために、実質的に等しくてもよいし、異なっていてもよい。一般に、アンカー部分２８の係数がバンド１６のバルク材料の係数と実質的に等しい場合には、両方の構成要素が保持具１０に加えられた全荷重に対して同じような反応を示す。しかし、構成要素間で係数が異なる場合には、構成要素は、異なる反応を示す。係数は、ヤング係数、剛性率、体積弾性率等であってもよいことが理解される。
【００３１】
例えば、図５Ａのコイル４０を参照すると、コイルの最大そり量は、バンド１６の材料の、対応するデュロメーターの最大伸張とほぼ一致するように構成することができる。さらに、（例えば、そりが生じる前の）コイル４０の最大の力は、バンド１６の材料のデュロメーターの、対応する引張強度とほぼ一致させることができる。同様に、コイル４０の設計は、コイル４０がバンド１６の材料の係数にほぼ等しいｋ値（例えば、ばね定数）を有するように選択することができる。これらの設計指針により、予期しない破損形態を回避することができる。もちろん、他の破損形態については、コイル４０がバンド１６の材料の係数とは異なるｋ値（例えば、ばね定数）を有するようにコイル４０の設計を選択することができる。
【００３２】
一例では、エラストマーバンド１６を第１の係数を有する材料から形成することができ、アンカー部分２８を第２の係数を有するほぼ剛体の材料から形成することができる。前述したように、第１の係数を第２の係数とほぼ等しいものにし、これにより、予期しない破損形態を回避することができる。他の例では、第１の係数（バンド１６）を第２の係数（アンカー部分２８）よりも大きくする、または、その逆にし、バンド１６またはアンカー部分２８の予め定められた一方が予期され、かつ、管理された方法で破損するようにできる。例えば、予期された破損形態の１つが、恒久的な塑性変形によってアンカー部分２８の「コイルが伸びる」ことである、ということが考えられる。このような場合、第１の係数（バンド１６）を第２の係数（アンカー部分２８）よりも大きくし、バンド１６がアンカー部分２８よりも大きく弾性変形できるようにし、アンカー部分２８が最初に塑性変形する（例えば、「コイルが伸びる」）一方で、バンド１６が伸縮性を維持し、ほぼ変形しないままでいるようにすることができる。アンカー部分２８の塑性変形は比較的ゆっくりと生じて、衝撃力を最小にし、組織保持部材１２の組織係合部分２６が保持している組織２９に損傷を与えないようにすることができる。
【００３３】
以下の設計例は、バンド１６の材料が６０Ｄというデュロメーター値を有すると仮定している（表１参照）。シリコン製保持具１０の理論最大荷重は、約１７ｌｂｓである（例えば、１５２０ｐｓｉ×π×ｒ2＝１７ｌｂｓ）。ただし、保持具１０の最小直径（〜０．１２インチ）を用いてシリコンが破損する前の最大荷重を求めた。したがって、コイル４０は、そりが生じる前に少なくとも１７ｌｂｓの最大荷重に持ちこたえるように構成することができる。さらに、コイル４０は、５ｌｂｓ等のような、所望の工業規格よりも大きな最小荷重に持ちこたえられるように構成することもできる。コイルのパラメーター（例えば、コイルの内径、ワイヤ直径、巻回数等）は、反ることなく同様な伸張を達成するために変更してもよい。したがって、コイル４０は、ｋ＝３３０ｐｓｉで少なくとも６０Ｄでの最大伸張（４５０％）まで材料とともに伸張できるように構成される。それでも、コイル４０が長手方向ボディ１８よりも先に破損することが望ましい場合には、コイル４０を上述した１７ｌｂｓよりも小さい最大荷重に持ちこたえるように適合させることができる。さまざまな他の値が考えられ、この例で検討した値が変更されうることが理解される。
【００３４】
これに加えて、または、これに代えて、第１端部２２からの組織保持部材１２の引き抜き強度は、バンド１６の第１端部２２内にアンカー部分２８を挿入する長さ、および／または、位置を調節することにより、いくぶん変えることができる。例えば、引き抜き強度を大きくするために、アンカー部分２８を、約５／１６インチまたは１／２インチ以上などのように、比較的長い距離を第１端部２２の中へと延長することができる。別の例では、引き抜き強度を大きくするために、組織保持部材１２をバンド１６の第１端部２２の内部に、より多くの組織係合部分２６が第１端部に埋め込まれるように位置させることができる。例えば、図５Ｄに示すように、相対的により多くの組織保持部材１２をバンド１６の第１端部２２内に位置させて、移行部３２が、バンド１６の第１端部２２の面２３から長い距離Ｄ1の間隔をあけて配置されるようにすることができる。このようにして、比較的多くの量のボディ材料（例えば、シリコン、ウレタン等）を移行部３２と、第１端部２２の面２３との間に設け、これにより組織保持部材１２の引き抜き強度を大きくする。移行部３２と面２３との間の距離Ｄ1は、所望の引き抜き強度および／または所望の破損形態となるように調節することができる。さらに、移行部３２と、第１端部２２の面２３との間に比較的多量のボディ材料を配置すると、組織係合部分２６と第１端部２２の間の境界を相対的により安定にすることができる。
【００３５】
これに加えて、または、これに代えて、エラストマーバンド１６の長手方向ボディ１８は、断面寸法がほぼ一定であり、ボディ１８の長さ方向に一定の間隔をあけて配置された複数のハブ２０を含むことができる。図５Ａ〜図５Ｄに示されているように、アンカー部分２８をバンド１６の第１端部２２に少なくとも部分的に埋め込むことができるように、アンカー部分２８は、断面寸法を長手方向ボディ１８の断面寸法よりも小さくすることができる。例えば、図４Ｂおよび図５Ａに示すように、長手方向ボディ１８とコイル４０の両方がほぼ円形の断面幾何学形状を有する場合、コイル４０の断面の直径Ｄ2は、長手方向ボディ１８の断面の直径Ｄ3よりも相対的に小さくすることができる。さらに、複数のハブ２０を実質的に同様なものにして、これにより手術用保持具１０の最大断面寸法を規定することができる。図１〜図２に示されているように、ハブ２０の断面寸法Ｄ4を長手方向ボディ１８の断面寸法Ｄ3よりも相対的に大きくして、ハブ２０が開創器フレーム６０と係合できるようにすることが可能である。例えば、図５Ｃに示されているように、突出部４８は、ハブ２０内に埋め込むことができ、断面幾何学形状を長手方向ボディ１８よりも相対的に大きくしてもよいが、アンカー部分２８Ｃの中央部材５０は、それでも、断面寸法を長手方向ボディ１８の断面寸法よりも小さくすることができる。結果として、全ての長手方向ボディ１８（そして、もしあれば、ハブ２０、２４）は機能し、保持具１０は、いかなる種類のハンドルも含まない。例えば、ハブ２０、２４の各々を実質的に同様のものとし、手術用保持具１０の最大断面寸法を規定させ、かつ／または、長手方向ボディ１８の長さ方向に沿って一定間隔をあけて配置することが可能である。同様に、カフス、カラー、保持ワイヤ、他の機械的留め金具等を使用してアンカー部分２８を第１端部２２に連結することができるが、長手方向ボディ１８の断面寸法Ｄ3、および／または、ハブ２０の断面寸法Ｄ4は、相当に大きくなるとは考えられず、保持具１０は、依然としてハンドルを含まないと考えられる。
【００３６】
本明細書で言及しているように、バンド１６の第１端部２２にあるハブ２４にさえフレーム係合面７２が設けられており、フレーム６０との係合に関して十分機能する。このように、バンド１６にある全てのハブ２０、２４がフレーム６０（および／または手術機器）とともに使用できるので、保持具１０がいかなる種類のハンドルも含まないことは言うまでもない。つまり、保持具１０の任意の部分をユーザーはつかんで、保持具１０を思い通りに扱うことができ、保持具１０のどの部分も、保持具１０を扱うのに相対的により有利であるということはない。さらに、ハンドレス保持具には従来の保持具の制限はなく、開創のために、より多くの保持具を使用することが可能である。従来の硬いハンドルと手術用フレームが互いに作用すると、その結果生じるフレーム周りのハンドルのてこの作用により、組織保持部材が組織から外れることがある。保持具の最大本数と柔軟性が増すことにより、ハンドレス保持具は、このような特有の外れ方を示すことがない。保持具のハンドルをなくすと、保持具を配置するとき、および、止血鉗子等のような手術機器によって配置する場合に、精度を高めることができるであろう。このように改善することで、配置するときの視認性、管理、および、扱いがよくなるので、臨床医および患者にとって安全性の余裕が増す。ハンドレス保持具は、手術機器（例えば、止血鉗子等）とともに、従来の手術用開創器フレームと共に、または、代わりに、比較的小規模、および／または、繊細な手術（例えば、耳、鼻、喉の手術等）のときなどでも使用することができる。
【００３７】
さらに、図６〜図８を参照すると、保持具１０は、開創器フレーム６０とともに使用可能であり、この開創器フレーム６０は、手術部位６２の全てまたは一部を取り囲み、保持具１０または一連の保持具１０を支持する役割を果たして、保持具１０が切開部３０を開いた状態に保てるように適合されている。なお、この種のフレームは、当該技術でよく知られており、本発明の一部を形成するものではない。フレームの例は、米国特許第６，０９０，０４３号および第５，９５１，４６７号で検討されており、米国特許第６，０９０，０４３号および第５，９５１，４６７号の開示内容の全てが参照することにより本明細書に組み込まれる。依然として、保持具１０は、手術機器（例えば、止血鉗子等）とともに、従来の手術用開創器フレームの代わりに、または、一緒に使用することもできることが理解される。一例では、保持具１０を比較的小規模、および／または、繊細な手術（例えば、耳、鼻、喉の手術等）のときに手術機器とともに単独で使用することができる。したがって、フレーム６０は、模式的に描かれ、本発明の状況を説明をするために記載されているに過ぎない。フレーム６０は、上面６６と、下面６８とがあるフランジ６４を有する。上面６６と下面６８は、ほぼ平坦に描かれているが、他の幾何学的形状とすることもできる。フレーム６０には、切り欠き部７０が設けられており、この切り欠き部７０は、上面６６から下面６８まで延びている。切り欠き部７０は、バンド１６のボディ１８が解放可能に入るように適合されている。切り欠き部７０は、好ましくは、バンド１６のボディ１８とほぼ同じ大きさに、ときにはより小さい大きさに作られる。切り欠き部７０がバンド１６のボディ１８よりも小さな大きさに作られた場合、フレーム６０は、ボディ１８が切り欠き部７０に挿入されたときに、ボディ１８を若干圧縮する。
【００３８】
保持具１０は、組織保持部材１２の組織係合部分２６を、保持しようとする組織２９の上に置いて、バンド１６のボディ１８をフレーム６０の切り欠き部７０の１つに挿入して使用する。保持具１０が前方へ、すなわち手術部位６２の方へ動くこと、そして、切り欠き部７０から引っ張られて抜けることが、機械的な干渉により防止される。より具体的には、フレーム６０に隣接するハブ２０がフレーム６０の下面６８の、切り欠き部７０を取り囲む一部分に当たり、これにより、伸縮性バンド１６の延伸を除き、保持具１０が動くことを防止する。
【００３９】
図７に示されているように、本発明のハブ２０は、フレーム６０の下面６８と向かい合わせの接触のような接触をしている係合面７２を有することができる。このように係合させると、バンド１６にかかった張力がフレーム６０に伝えられる領域が分散する。この分散した領域は、ハブのない保持具（不図示）、または、球状のハブ（不図示）がある保持具（これらはいずれも切り欠き部７０を通るところを加圧する可能性がある）と比べて大きく、それゆえに、より大きな張力を吸収することができる。
【００４０】
例えば、下面６８にまさに接触している係合面７２の図示の部分７４は、下面６８とぴったりと接した関係になり、向かい合わせに接触をすることができる。それゆえに、バンド１６にかかった力は、比較的大きな張力を吸収できる幅広い領域にわたって分散される。より大きな張力がバンド１６にかかると、バンド１６のボディ１８は、切り欠き部７０にさらに引き込まれる傾向があり、そして、ハブ２０は、引っ張られてフレーム６０の下面６８とよりきつく係合する傾向があり、結果として、図７に示されている構成となる。
【００４１】
さらに、バンド１６の第１端部２２にあるハブ２４でさえフレーム係合面７２が設けられていて、フレーム６０と係合することに関して十分に機能する。図８に示されているように、ハンドレス設計により、保持具１０の配置および使用時の正確さおよび柔軟性をより高めることができる。例えば、組織係合部分２６は、開創器フレームの極めて近くに位置する組織２９を保持するのに使用することができる。アンカー部分２８は、開創器フレーム６０および外科医の要求に形を合わせることができる。それでも、前述したように、ハブ２０、２４はさまざまな幾何学的形状を有することができ、この幾何学的形状は、フレーム６０と平面で接触するものであっても、でなくてもよい。
【００４２】
上記設計は、生体組織と相互作用する機能要素（例えば、さまざまな形態および目的のフック、くま手、クランプ等）を伸縮性がある保持具のボディに取り付ける単一で汎用的な機構を可能にする。この単一の取り付け機構は、さまざまな保持具の種類を創り出し、サポートするための製造プロセスを簡単にし、かつ、製造コストを低減する。保持具の種類の数が増えると、この新しい自己保持型の開創器技術をこれまでこのような技術の助けを借りずに行われていた外科手術に応用できる数も増えるであろう。
【００４３】
さまざまな有益な利点が本明細書に記載の手術用保持具１０により提供される。本明細書で検討したことは、多くの利点の一部を記述しているに過ぎず、本発明を限定しようとするものではない。例えば、手術用保持具１０は、さまざまな組織保持システムのための汎用取り付け機構を提供する一方で、製造コストを下げ、かつ、製造をより簡単にもする。保持具１０は、特異な手術用途のための保持具組織保持システムの幅を広げるのに費用対効果が高い方法を提供する。手術用保持具１０は、手術室のスタッフと手術を受ける患者の安全性を高め、組織の損傷を減らし、手術部位の視認性をよくし、そして、手術室の成果を上げる。保持具１０はまた、さまざまな破損形態を管理することができる。保持具１０は、当業界で一般的である、結果として生じる組織の外傷や硬い保持具のハンドルによって生じる視覚的な障害を減らす。さらに、保持具の硬いハンドル部分を取り除くことにより、保持具全体の伸縮性／柔軟性が全てのまたは選択された平面内で増大する。手術用保持具１０はまた、自己保持型開創器システム技術を数多くの外科手術に応用できるようにするとともに、さまざまな挿入物の形態および材料を通じて保持具の伸縮性／柔軟性を達成および管理できるようにし、また、挿入物のバルク材料に対する相互作用を、さまざまな表面形態および接合処理を利用することで管理できるようにする。
【００４４】
本発明を上述した実施形態の例を参照しながら説明した。本明細書を読み、理解することで修正例や変更例を思いつくであろう。本発明の１つまたは２つ以上の態様が組み込まれた実施形態の例は、添付した特許請求の範囲に入る限り、このような修正例や変更例を全て含むことが意図されている。
【図１】
2013526978.tif 000004
【図２】
2013526978.tif 000005
【図３】
2013526978.tif 000006
【図４Ａ】
2013526978.tif 000007
【図４Ｂ】
2013526978.tif 000008
【図５Ａ】
2013526978.tif 000009
【図５Ｂ】
2013526978.tif 000010
【図５Ｃ】
2013526978.tif 000011
【図５Ｄ】
2013526978.tif 000012
【図５Ｅ】
2013526978.tif 000013
【図６】
2013526978.tif 000014
【図７】
2013526978.tif 000015
【図８】
2013526978.tif 000016
【国際調査報告】
2013526978.tif 000017
2013526978.tif 000018